(57)【要約】本発明は、特に、オペレータが持ち運び、自律的に使用することができる電気機械式または電気油圧式の作業器具もしくは救助器具（１）の動作方法であって、作業器具もしくは救助器具（１）は、少なくとも１つの可動式の工具インサート（２）、好ましくは切断工具、押し広げ工具、または持ち上げ工具と、ハウジング（３）と、電動機（４）と、工具インサートの作動用の、電動機（４）によって駆動されるポンプ（５）または電動機（４）によって駆動される機械式動力伝達装置と、交換可能な再充電式の器具用電気エネルギー源（６）であって、それ自身のハウジングを有し、作業器具もしくは救助器具（１）内または作業器具もしくは救助器具（１）上に収容された電気エネルギー源（６）と、を有し、作業器具もしくは救助器具（１）の動作中に作業器具もしくは救助器具（１）および／またはエネルギー源（６）の動作データが取得され、該動作データが電気エネルギー源（６）に収容されたデータキャリアまたはデータ記憶装置（６ｄ）に転送され、電気エネルギー源（６）が作業器具もしくは救助器具（１）から取り外されて充電装置（８）に接続され、電気エネルギー源（６）のデータキャリアまたはデータ記憶装置（６ｄ）に記憶された該動作データが充電装置（８）によって読み出されてネットワーク（２１）に転送される方法に関する。【選択図】図３
2019510644.tif 000002
【特許請求の範囲】
【請求項１】
オペレータが持ち運び、自律的に使用することができる電気機械式または電気油圧式の作業器具もしくは救助器具（１）の動作方法であって、前記作業器具もしくは救助器具（１）は、
少なくとも１つの可動式の工具インサート（２）、好ましくは切断工具、押し広げ工具、または持ち上げ工具と、
ハウジング（３）と、
電動機（４）と、
該工具インサートを作動させるための、該電動機（４）によって駆動されるポンプ（５）または該電動機（４）によって駆動される機械式動力伝達装置と、
交換可能な再充電式の器具用電気エネルギー源（６）であって、それ自身のハウジング（６ａ）を有し、該作業器具もしくは救助器具（１）内または該作業器具もしくは救助器具（１）上に収容された電気エネルギー源（６）と、を有し、
前記作業器具もしくは救助器具（１）の動作中に動作データが取得され、
前記動作データが前記電気エネルギー源（６）に収容されたデータキャリアまたはデータ記憶装置（６ｄ）に転送され、
前記電気エネルギー源（６）が前記作業器具もしくは救助器具（１）から取り外されて充電装置（８）に接続され、
前記電気エネルギー源（６）の前記データキャリアまたはデータ記憶装置（６ｄ）に記憶された前記動作データが前記充電装置（８）によって読み出されてネットワーク（２１）に転送されることを特徴とする方法。
【請求項２】
前記ネットワーク（２１）を介して前記充電装置（８）にデータおよび／またはプログラムが伝送され、前記電気エネルギー源（６）の前記データキャリアまたはデータ記憶装置（６ｄ）に前記データおよび／またはプログラムがインポートされ、
前記電気エネルギー源（６）が前記充電装置（８）から取り外されて前記作業器具もしくは救助器具（１）に接続され、
前記電気エネルギー源（６）から前記作業器具もしくは救助器具（１）に前記データおよび／またはプログラムがインポートされることを特徴とする、請求項１に記載の方法。
【請求項３】
各作業器具もしくは救助器具（１）が器具固有の電子ＩＤ（ＩＤ１〜ＩＤｎ）を有し、
前記器具固有の電子ＩＤ（ＩＤ１〜ＩＤｎ）が、前記動作データの構成部分であることを特徴とする、請求項１または２に記載の方法。
【請求項４】
前記動作データが、好ましくは直接の、動作パラメータ（Ｐ１〜Ｐｎ）および／またはそれから得られたデータレコード（ＤＳ１〜ＤＳｎ）であることを特徴とする、先行する請求項のうちの少なくとも一項に記載の方法。
【請求項５】
動作パラメータ（Ｐ１〜Ｐｎ）が、
前記電動機（４）に流れる電流（Ｐ１）、および／または、
電圧（Ｐ２）、および／または、
空間における前記作業器具もしくは救助器具（１）の向き（Ｐ３）、および／または、
前記作業器具もしくは救助器具（１）の加速度（Ｐ４）、および／または、
前記電気エネルギー源の充電状態（Ｐ５）、および／または、
前記電気エネルギー源の実施済み充電サイクル回数（Ｐ６）、および／または、
周囲温度（Ｐ７）、および／または、
周囲湿度（Ｐ８）、および／または、
ＧＰＳ位置座標（Ｐ９）、および／または、
時刻もしくはＧＰＳ時刻、であることを特徴とする、請求項４に記載の方法。
【請求項６】
前記動作パラメータ（Ｐ１〜Ｐｎ）が、時刻基準と共に取得されることを特徴とする、請求項４または５に記載の方法。
【請求項７】
前記動作データおよび／または動作パラメータ（Ｐ１〜Ｐｎ）および／またはそれから得られたデータレコード（ＤＳ１〜ＤＳｎ）が、前記ネットワーク（２１）を介してアクセス可能な中央データ収集サイト（２０）において、好ましくは継続的に、さらに処理され、かつ／または、記憶され、かつ／または、解析されることを特徴とする、先行する請求項のうちの少なくとも一項に記載の方法。
【請求項８】
前記データレコード（ＤＳ１〜ＤＳｎ）が、前記中央データ収集サイト（２０）において、前記動作パラメータ（Ｐ１〜Ｐｎ）に基づいて生成されることを特徴とする、請求項７に記載の方法。
【請求項９】
前記中央データ収集サイト（２０）から個別の作業器具もしくは救助器具（１）に情報が伝送されることを特徴とする、先行する請求項のうちの少なくとも一項に記載の方法。
【請求項１０】
前記情報がユーザのデータ処理装置に表示されることを特徴とする、請求項９に記載の方法。
【請求項１１】
前記充電装置（８）と前記ネットワーク（２１）との間のデータのやり取りが、無線通信、好ましくは近距離無線通信、によって行われることを特徴とする、先行する請求項のうちの少なくとも一項に記載の方法。
【請求項１２】
前記中央データ収集サイト（２０）において、前記動作パラメータ（Ｐ１〜Ｐｎ）のコンピュータ解析（２０Ａ）が、受信した前記動作パラメータを経験的動作パラメータデータベースのデータと比較することによって行われることを特徴とする、請求項７から１１のうちの少なくとも一項に記載の方法。
【請求項１３】
個別の識別子（ＩＤ１〜ＩＤｎ）をそれぞれ有する前記作業器具もしくは救助器具（１）それぞれの器具固有の動作履歴（２０Ｋ）が、前記データ収集サイトにおいて、前記動作パラメータ（Ｐ１〜Ｐｎ）に基づいて生成および／または記憶されることを特徴とする、請求項７から１２のうちの少なくとも一項に記載の方法。
【請求項１４】
前記作業器具もしくは救助器具に固有の情報をユーザが入力および／または呼び出しできる経験データベース（２０Ｍ）が生成され、前記経験データベース（２０Ｍ）は、前記作業器具もしくは救助器具（１）のユーザが情報データを前記経験データベースに入力することで生成され、前記経験データベースをユーザが呼び出すことができることを特徴とする、請求項７から１３のうちの少なくとも一項に記載の方法。
【請求項１５】
前記動作データおよび／または動作パラメータ（Ｐ１〜Ｐｎ）および／またはそれから得られたデータレコード（ＤＳ１〜ＤＳｎ）が、前記作業器具もしくは救助器具（１）に割り当てられたディスプレイ（２３）に直接表示されることを特徴とする、先行する請求項のうちの少なくとも一項に記載の方法。
【請求項１６】
オペレータが持ち運び、自律的に使用することができる、電気機械式または電気油圧式の作業器具もしくは救助器具（１）であって、
少なくとも１つの可動式の工具インサート（２）、好ましくは、切断工具、押し広げ工具、または持ち上げ工具と、
ハウジング（３）と、
電動機（４）と、
前記工具インサート（２）を作動させるための、前記電動機（４）によって駆動されるポンプ（５）または前記電動機（４）によって駆動される機械式動力伝達装置と、
交換可能な再充電式の器具用電気エネルギー源（６）であって、それ自身のハウジング（６ａ）を有し、前記作業器具もしくは救助器具（１）内または前記作業器具もしくは救助器具（１）上に収容された電気エネルギー源（６）と、
使用中の前記作業器具もしくは救助器具（１）の使用データを取得するための少なくとも１つのセンサ手段（Ｓ１〜Ｓｎ）と、
データロガー（１６Ａ）を有し、前記センサ手段（Ｓ１〜Ｓｎ）に接続され、前記センサ手段（Ｓ１〜Ｓｎ）の測定値またはそれから得られたデータを取得し、さらなる処理に提供するプロセッサと、を有し、
前記エネルギー源（６）が、前記センサ手段（Ｓ１〜Ｓｎ）の前記使用データを記憶させことができるデータキャリアまたはデータ記憶装置（６ｄ）を有することを特徴とする、作業器具もしくは救助器具。
【請求項１７】
好ましくは双方向の、データインタフェース（１０）を、前記作業器具もしくは救助器具（１）と前記エネルギー源（６）との間に備えることを特徴とする、請求項１６に記載の作業器具もしくは救助器具。
【請求項１８】
個別の作業器具もしくは救助器具（１）が、個別に対応付られた電子ＩＤ（ＩＤ１〜ＩＤｎ）を有することを特徴とする、請求項１５および１６のうちの少なくとも一項に記載の作業器具もしくは救助器具。
【請求項１９】
電流センサ（Ｓ１）、および／または、
電圧センサ（Ｓ２）、および／または、
傾斜センサ（Ｓ３）、および／または、
温度センサ（Ｓ４）、および／または、
バッテリ充電状態センサ（Ｓ５）、および／または、
バッテリ充電サイクルカウンタ（Ｓ６）、および／または、
湿度センサ（Ｓ７）、および／または、
ＧＰＳモジュール、および／または、
計時要素、
をセンサ手段（Ｓ１〜Ｓｎ）として備えることを特徴とする、請求項１６および１８のうちの少なくとも一項に記載の作業器具もしくは救助器具。
【請求項２０】
前記作業器具もしくは救助器具（１）に割り当てられたディスプレイ（２３）を備えることを特徴とする、請求項１６から１９のうちの少なくとも一項に記載の作業器具もしくは救助器具。
【請求項２１】
請求項１６から２０のうちの少なくとも一項に記載の作業器具もしくは救助器具（１）のための再充電式の電気エネルギー源（６）であって、
ハウジング（６ａ）と、
少なくとも１つの充電セル、好ましくは複数の充電セルと、
前記作業器具もしくは救助器具（１）または前記充電装置（８）との電気的接続のための電気接点領域（６ｅ）と、を有し、
前記電気エネルギー源（６）が、好ましくは双方向の、データインタフェース（１０）と、前記作業器具もしくは救助器具（１）の動作データを記憶させることができるデータキャリアまたはデータ記憶装置（６ｄ）とを備えることを特徴とする、電気エネルギー源（６）。
【請求項２２】
前記電気接点領域（６ｅ）上に前記データインタフェース（１０）を備えることを特徴とする、請求項２１に記載のエネルギー源。
【請求項２３】
バッテリ充電状態センサ（Ｓ５）および／またはバッテリ充電サイクルカウンタ（Ｓ６）を備えることを特徴とする、請求項２１または２２に記載のエネルギー源。
【発明の詳細な説明】
【技術分野】
【０００１】
本発明は、請求項１の前提部に係る作業器具または救助器具の動作方法、請求項１５の前提部に係る作業器具または救助器具、およびそのような作業器具または救助器具のための充電式の電気エネルギー源に関する。
【背景技術】
【０００２】
オペレータが持ち運ぶことができる、本明細書において対象とする種類の可搬式電動作業器具または救助器具は、多数の用途に用いられている。このため、例えば、事故に巻き込まれた車両から負傷者を救助したり、例えば地震の被災者を救出したりするために救急業務の従事者（消防隊）によって用いられる切断器具がある。これらの場合の作業器具または救助器具はさまざまな種類がある。切断、押し広げ、または持ち上げ用の好ましくは硬化された工具インサートを有する、電気油圧駆動または電気機械駆動の作業器具もしくは救助器具が存在する。このような器具は、使用時に、極めて高い機械的要求が課され、使用場所によっては非常にさまざまな環境的影響（熱、寒さ、湿度）に曝される。
【０００３】
同時に、救助作業は常に非常に迅速に行われなければならないため、特に救助器具は、使用時に特に高い動作信頼度を提供することが特に重要である。例えば、救助器具が前の配備で不利な環境的影響（例えば、極めて高熱）に曝された場合、例えば、油圧ラインの領域のシールが損傷を受けており、その結果、救助器具の動作適合性がもはや保証されないということになる可能性がある。このことにより、使用時に、例えば結果として生じたシールの耐密性の不足によって、器具の要求性能を達成できなくなり、それによって、救助作業が妨げられ、救助対象者に損害を与えることになるという可能性がある。このような器具は、世界中で、さまざまなユーザによって使用されている。
【０００４】
国際公開第２０１４／０４３１９０（Ａ２）号から、請求項１の前提部に記載の、オペレータが持ち運び、自律的に使用することができる電気機械式の作業器具を識別するためのシステムおよび方法が知られている。作業器具のそれぞれが、個別の作業器具を識別するための個別のＩＤを有する。この場合、作業器具にバックアップユニットが接続される。バックアップユニットは、センサと記憶装置と伝送手段とコントローラとを含む。器具の動作中、センサは、動作中に必ず発生して使用を直接示す振動の発生を検知し、それらの振動は、コントローラによって周波数データに変換され、無線通信によって中央解析サイトに伝送される。これから、以前の使用の周波数が推定される。この公知のシステムは、使用中に生じる振動によって作業器具の使用のおおよその検知を可能にするに過ぎない。また、このシステムは、重要な器具固有の適応が必要である。
【先行技術文献】
【特許文献】
【０００５】
【特許文献１】国際公開第２０１４／０４３１９０号
【発明の概要】
【発明が解決しようとする課題】
【０００６】
本発明の目的は、一方では作業器具または救助器具の動作のより正確な監視を可能にし、他方では設備の点で扱いやすい程度の複雑さで実現することができる、一般的な方法を提供することである。
【課題を解決するための手段】
【０００７】
上記の目的は、一般的な方法の場合は請求項１の特徴部の特徴によって達成され、一般的な作業器具または救助器具の場合は請求項１５の特徴部の特徴によって達成される。
【０００８】
本発明の好適な展開は、従属請求項に記載される。
【０００９】
本発明に係る方法は、直接の動作パラメータＰ１〜Ｐｎと直接だけではない基準とから、作業器具または救助器具の正確な経時的作動および／または負荷プロファイルを取りまとめ、これらのデータを、解析することを目的として集中的に管理することを可能にする。それにより、個々の器具ごとの個別の「使用履歴」を、正確な動作パラメータに基づいて取りまとめることが可能になり、これにより、製造業者は個別の特定の問題に応じた点検措置を実施できるようになる。例えば、個別のユーザに、器具に対する要求が以前に増加したことの結果として特別の点検をすぐに行う必要があることを知らせることができる。この場合、作業器具の電気エネルギー源は、収集された動作データの「送信機」として働く。作業器具それぞれの電気エネルギー源は、いずれにせよ時々充電しなければならないため、いわば「自動的に」、作業器具から電気エネルギー源に伝送されたデータが確実に充電装置から呼び出されてネットワークに取り込まれることが保証される。呼び出しおよび伝送は自動的に行われる。また、公知の解決手段と比較すると、このための設備の点で、複雑さを、適切な記憶手段と電気エネルギー源を介したデータ伝送のためのデータインタフェースとの選択にまで大幅に簡単化することができる。多数の作業器具または救助器具の動作データを収集し、ネットワークまたはネットワーク内の中央データ収集サイトにおいてデータ解析に供することができる。このようにして、多数の個別の器具から、それぞれの作業器具または救助器具に関して、履歴をデータ収集サイトに取りまとめることができる。この履歴を用いて、例えば不利な動作条件下での長期使用により点検措置を通常よりも早く行うべきかどうかや例えばある特定の部品を取り替えなければならないかどうかを随時確認することができる。この履歴は、損傷や賠償要求があった場合の評価に関して、作業器具または救助器具が正しく操作されていたかどうかの証拠を提供することが必要な場合に、特に重要でもある。
【００１０】
本発明の好適な展開によると、電気エネルギー源は、ネットワークから個別の作業器具または救助器具にデータ／プログラムを伝送するための「運び手（courier）」としても働き得る。これにより、作業器具または救助器具を動作させるためのデータおよび／またはプログラム（例えば、ファームウェアのアップデート）を、ユーザによる介入を必要とせずに、電気エネルギー源を介して器具に容易に伝送することができる。
【００１１】
好適には、各作業器具または救助器具は、動作データの構成部分である器具固有のＩＤを含む。その結果、個々の器具は、当該器具における動作データがその解析時に正確に割り当てられるように、独自の電子識別子（identity）を与えられている。このため、各器具を綿密に調べ、集中的に解析することができる。
【００１２】
好適には、動作データは、好ましくは直接の、動作パラメータである。好ましくは、後者は、物理学的測定データ（例えば、電動機に瞬間的に流れる電流）の形態で取得され、適切なインタフェースを介して電気エネルギー源において適切なデータフォーマットで時系列で記憶され得る。
【００１３】
好適な展開によると、動作パラメータは、下記の群のうちの少なくとも１つの動作パラメータまたは複数の動作パラメータの任意の組み合わせである。
【００１４】
・電動機に流れる電流。この動作パラメータは、工具インサートにかかる力、従って、器具に対する要求を推定するために用いることができる。
【００１５】
・電圧。この動作パラメータは、器具のパワーつまり出力パワーを推定するために用いることができる。
【００１６】
・空間における作業器具または救助器具の向き。この動作パラメータは、動作状態を推定するために用いることができる。
【００１７】
・空間における作業器具または救助器具の加速度。これは、例えば衝撃効果等の、損傷を与える機械的影響を推定するために用いることができる。
【００１８】
・電気エネルギー源の充電状態。これによって、バッテリを交換する必要があることを十分に余裕を持ってユーザに知らせることが可能になる。
【００１９】
・電気エネルギー源の実施済み充電サイクル回数。これによって、電気エネルギー源の期待される実用寿命を予測し、例えば、エネルギー源を取り替える措置を十分に余裕を持って開始することが可能になる。
【００２０】
・周囲温度。これによって、それぞれの器具の配備とその時の主な周囲温度とを履歴に含めることが可能になり、例えば、使用の際に器具がかなりの温度に曝された場合にシールを取り替えることが可能になる。
【００２１】
・周囲湿度。これによって、器具がかなりの湿度に曝されたり水と接触したりして例えば酸化による電子部品の損傷が生じた場合に、措置を選択的に実行することが可能になる。
【００２２】
・ＧＰＳ位置座標。これによって、器具のそれぞれの位置を履歴に含め、かつ／または、正確なタイムログおよびドキュメンテーションに取りまとめることが可能になる。
【００２３】
・時刻。これによって、他の動作データを正確な時間的前後関係に配置することが可能になる。
【００２４】
従って、本発明は、必要に応じて、各々の場合に非常にさまざまなデータで、動作履歴を構成することを可能にし、それによって、個別の器具の状態および／または動作履歴の非常に精度の高い評価が可能になる。
【００２５】
好適には、動作パラメータは時系列で取得される。これにより、ある時間関係に配置されているかまたはタイムスタンプが付与された動作パラメータを解析に供することができる。このことは、動作パラメータを特定の時点または特定の期間に割り当てることを可能にし、そしてそのことによって、動作履歴を正確に定めることが可能になる。そして、この動作履歴によって、使用時の誤った振る舞い、修理点検作業の実施の遅れ、不適切な取り扱い等の正確な判定が可能になる。
【００２６】
好ましくは、器具から到着した個別のデータは、中央データ収集サイトにおいて処理され、それらからさまざまなデータレコードが作成される。動作データは、デジタル化された物理学的測定データ、つまり動作パラメータとして、電気エネルギー源と充電装置とを経由してネットワークに送られ、そしてその中央データ収集サイトに送られることが有利である。動作データのコンピュータ解析およびさらなる処理が行われるのは中央データ収集サイトにおいてのみである。よって、データのさらなる処理のために作業器具または救助器具自体に複雑なＤＰ（データ処理手段）を設ける必要がない。これは、好適に、中央データ収集サイトにおいて行うことができる。
【００２７】
好適には、中央データ収集サイトにおいて、動作パラメータに基づいて新しいデータレコードを生成することができる。これらのレコードは、例えば、個別の点検時点の算出、リマインダメッセージ、検出された誤動作または今にも起こりそうな誤動作に関する警告メッセージ、エラーメッセージ等である。
【００２８】
好適には、中央データ収集サイトによって生成された各情報つまりデータレコードが、個別の作業器具または救助器具に伝送される。
【００２９】
そして、好適には、これは、上記のような方法で、充電装置または電気エネルギー源を介して行われ得る。
【００３０】
この代わりに、またはこれに加えて、情報は、個別の作業器具または救助器具に割り当てられたＤＰ装置に伝送されてもよい。例えば、これは、適切なアプリケーションを介して、作業器具または救助器具のユーザに割り当てられたユーザのスマートフォンであってもよい。従って、中央データ収集サイトからユーザのスマートフォンに、例えば近距離無線通信（ＷＬＡＮ、ＷｉＦｉ、Ｂｌｕｅｔｏｏｔｈ等）および／または携帯電話接続によって、情報が伝送されてもよい。もしくは、またはさらに、別のユーザアプリケーション上に、対応する表示手段、例えばヘルメット内のヘッドアップディスプレイ、があってもよい。
【００３１】
好適には、充電装置とネットワークとの間のデータのやり取りは、無線通信、好ましくは近距離無線通信（例えば、ＷＬＡＮ、Ｂｌｕｅｔｏｏｔｈ、ＷｉＦｉ等）によって行われる。
【００３２】
本発明に係る方法のさらなる好適な展開によると、伝送された動作データに基づいて有意義な情報を生成することを可能にするために、中央データ収集サイトにおいて、動作パラメータのコンピュータ解析が、受信した動作パラメータつまり動作データを経験的動作パラメータデータベースのデータと比較することによって行われる。
【００３３】
また、好適には、個別の識別子をそれぞれ有する作業器具または救助器具それぞれの器具固有の動作履歴を、データ収集サイトにおいて動作パラメータに基づいて生成し、ユーザが入手できるようにすることができる。
【００３４】
中央データ収集サイトは、それに加えて、作業器具または救助器具に固有の情報をユーザが入力および／または呼び出しできる経験データベースを取りまとめることを可能にし、この経験データベースは、作業器具または救助器具のユーザが情報データを経験データベースに入力することで生成され、また、この経験データベースは、ユーザが呼び出すこともできる。これによって、さらなるデータ情報源、つまり、一方では器具の動作履歴を評価するために用いることができ、他方では同時にそれぞれのユーザに付加的な利益を提供する情報の幅広いやり取りの可能性が生み出される。
【００３５】
好適には、中央データ収集サイトは、ネットワーク、好ましくはインターネット、を介してアクセスすることができるいわゆるコンピュータクラウドである。コンピュータクラウドは、動作パラメータに関係するデータのさらなる処理に関して、全ての計算タスク（computing tasks）をコンピュータクラウドで処理することができるという利点を有する。
【００３６】
本発明は、さらに、請求項１５の前提部に記載の、オペレータが持ち運び、自律的に使用することができる電気機械式または電気油圧式の作業器具もしくは救助器具に関する。最初に述べた目的を達成するために、エネルギー源は、センサ手段の使用データを記憶させることができるデータキャリアまたはデータ記憶装置を有する。
【００３７】
好適には、好ましくは双方向の、データインタフェースが、作業器具もしくは救助器具とエネルギー源との間に設けられる。これは、例えば、ＰＣＩバス、ＡＧＰ、ＳＣＳＩ、ＵＳＢ、またはその他のファイアウォールソリューション等のハードウェアインタフェースであり得る。作業器具もしくは救助器具のプロセッサは、該プロセッサが作業器具もしくは救助器具内にある限り、上記インタフェースを介して電気エネルギー源のデータ記憶装置にデータを即座に書き込むことが好ましい。あるいは、プロセッサは電気エネルギー源内にあることも考えられる。
【００３８】
上記インタフェースは、電気エネルギー源を挿入するために作業器具および／または充電装置に設けられた凹部に電気エネルギー源を挿入する際にデータインタフェースも同時にアクティブになるように設計されることが好ましい。従って、上記データインタフェースは、作業器具または充電装置と電気エネルギー源との間の電気的接触領域にあってもよい。
【００３９】
好適には、センサ手段として、電流センサ、電圧センサ、傾斜センサ、温度センサ、バッテリ充電状態センサ、バッテリ充電サイクルカウンタ、ＧＰＳモジュール、および／または湿度センサが設けられる。好適には、時刻記録手段が設けられる。ＧＰＳモジュールは、位置座標に加えて、時刻記録手段を既に含んでいるという利点を有する。
【００４０】
好適には、器具はそれぞれ、動作パラメータに対応する測定信号用のアナログ／デジタル変換器を含む。
【００４１】
本発明のさらなる好適な展開によると、動作データおよび／または動作パラメータおよび／またはそれらから得られたデータレコード、例えば、エネルギー源の充電状態等を、直接に、すなわちネットワークを経由せずに、作業器具もしくは救助器具に割り当てられたディスプレイ、例えばヘッドアップディスプレイ、および／または、器具に直接配置されたディスプレイ、および／または、ユーザが携行するディスプレイに表示することができる。この場合、データは、作業器具もしくは救助器具の近距離無線通信手段によってディスプレイに直接伝送可能であることが好ましい。
【００４２】
本発明は、請求項１５から１８のうちの少なくとも一項に記載の作業器具または救助器具のための充電式の電気エネルギー源をさらに含み、この電気エネルギー源は、ハウジングと、少なくとも１つの充電セル、好ましくは複数の充電セルと、作業器具もしくは救助器具または充電装置との電気的接続のための電気接点領域とを有する。エネルギー源には、好ましくは双方向の、データインタフェースと、作業器具もしくは救助器具の動作データを記憶させることができるデータキャリアまたはデータ記憶装置とがさらに設けられる。これらは、作業器具に搭載されたセンサによって作業器具の動作データまたは動作パラメータを集め、それらを電気エネルギー源のデータキャリアまたはデータ記憶装置に記憶させたデータである。
【００４３】
好適には、バッテリ自体の領域に、例えばバッテリ充電状態センサおよび／またはバッテリ充電サイクルカウンタ等の対応するセンサが設けられてもよい。上記対応するセンサの測定値も同様にデータロガーを介して読み出され、電気エネルギー源のデータキャリアまたはデータ記憶装置に伝送される。
【００４４】
本発明の好適な展開によると、それぞれのデータレコードに依存して、当該データレコードに対応する情報または当該データレコードに関して生成された情報が、個別の作業器具もしくは救助器具に、中央データ収集サイトから個別の作業器具もしくは救助器具に伝送される。例えば、個別の器具について、高い周囲温度の中で極めて高い負荷がかかったためにシールの取り替えが緊急に必要であることが中央データ収集サイトにおいて確認された場合、この旨が個別の作業器具もしくは救助器具に伝送され、例えば当該器具に搭載されたディスプレイに、中継される。あるいは、これは、該情報を例えばユーザのポータブルコンピュータ、ＰＣ、またはスマートフォン等に表示するアプリケーションを介して行われてもよい。
【図面の簡単な説明】
【００４５】
以下、本発明の好適な展開について、より詳細に説明する。
【００４６】
図１は、本発明に係る方法において用いられる救助装置の上面図であり、
図２は、図１に係る救助器具の側面図であり、
図３は、電気エネルギー源と、該電気エネルギー源が挿入された充電装置と、該充電装置から上位ネットワークへのデータの伝送とを示す、非常に簡単化された概略図であり、
図４は、動作データの収集に関わる上記器具上の機能ユニットを示し、
図５は、中央データサイトのための動作データを検知するための構成の、非常に簡単化された概略構造の一例を示し、
図６は、上記中央データサイトの情報を個別の作業器具のユーザに提供するための構成の、非常に簡単化された概略構造の一例を示し、
図７は、上記中央データ収集サイトのデータを受信するためのヘッドアップディスプレイを装着した、配備された人物を示し、
図８は、上記中央データ収集サイトの組織の簡単化された一例を示し、
図９は、本発明のさらなる展開における、動作データの収集に関わる上記器具上の機能ユニットを示す。
【発明を実施するための形態】
【００４７】
図１の参照符号１は、オペレータが持ち運び、自律的に使用することができる作業器具または救助器具の一例を示す。本例においては、これは電気油圧式カッターであり、事故に巻き込まれた車両に閉じ込められた人を救出するために消防隊によって救助器具として用いられることが多い。上記器具は、ハンドル１４と手動で作動できる回転弁の形態の切り替え弁１２とを有するハウジング３を含む。参照符号７は、ハウジング３上のメインスイッチを示す。ハウジング３にはシリンダ１１が隣接しており、その上には、同様に、持ち運び用ハンドル１３が配置されている。シリンダ１１の前部には、切り替え弁１２が作動されると互いに接近または離間する、硬化材料からなる２つのカッターの形態の工具インサート２が配置されている。
【００４８】
エネルギー源６として、図２から分かるように、ハウジング３の対応する受け入れ口３ａに挿入可能な蓄電池が設けられている。エネルギー源６をハウジング３の受け入れ口３ａに固定するために、エネルギー源６には、受け入れ口３ａからエネルギー源６を引き抜くことを可能にするために指の圧力によって作動させることができる保持クリップ６ｃが両側に配置されている。
【００４９】
ハウジング３の内部には、電動機（図１および図２には図示せず）があり、油圧ポンプ（同様に、図１および図２には図示せず）を駆動するために設けられている。メインスイッチ７の作動により、電動機、ひいてはポンプがオンまたはオフにされる。切り替え弁１２によって、オペレータは、器具を待機モード（シリンダに対する作用なし、工具インサート２は動かない。）または動作モード（切断モード、工具インサートが互いに接近する。もしくは、開くモード、工具インサートが互いに離間する。）で動作させることができる。
【００５０】
図３によると、上記エネルギー源６は、ハウジング突起６ｂを有する別体のハウジング６ａを含み、当該ハウジング突起６ｂの領域に、器具１と接触するための電気接点領域６ｅが設けられている。上記電気エネルギー源６は、同様にハウジング突起６ｂの領域に設けられてデータキャリアまたはデータ記憶装置６ｄに接続されるのが好ましいデータインタフェース（例えば、ＵＳＢインタフェース）をさらに含む。本発明によると、このデータキャリアまたはデータ記憶装置６ｄは、作業器具または救助器具１の動作データをいつでもデータエクスポートできる状態で保持するために、当該動作データを受信する働きがある。
【００５１】
図３は、上記電気エネルギー源６を充電するために設けられ、それに応じて設計された、ハウジング突起６ｂを受け入れるための受け入れ口８ａを有する充電装置８をさらに示す。充電装置８は、エネルギー源６のデータインタフェースと互換性のある、充電装置８が電気エネルギー源６のデータキャリアまたはデータ記憶装置６ｄのデータにアクセスすることを可能にするデータインタフェースを含む。電気エネルギー源６を受け入れ口８ａに挿入すると、電気的接続およびデータ接続が成立する。充電装置８は、充電ケーブル８ｃと、無線通信モジュール８ｂと、専用プロセッサ８ｄとをさらに含む。
【００５２】
充電装置８の無線通信モジュール８ｂは、エネルギー源６のデータキャリアまたはデータ記憶装置６ｄから読み出された動作データを、適切な通信プロトコル１９によってネットワーク２１（例えば、インターネット）の送受信手段（例えば、モデム）に伝送する働きがある。上記通信プロトコルは、近距離無線通信プロトコル（例えば、Ｂｌｕｅｔｏｏｔｈ、ＷＬＡＮ、ＷｉＦｉ等）であることが好ましい。同様に、規格外（non-standardized）周波数帯域の、個別に適合された無線通信プロトコルまたはネットワークを用いてもよい。このため、図３から分かるように、エネルギー源６は、作業器具または救助器具によって取得された動作データを、該作業器具または救助器具１から充電装置８を介して上位ネットワーク２１に送る「運び手」または「搬送手段」として働く。ネットワーク２１は、動作データをさらに記憶および／または処理することができる中央データ収集サイト２０に接続されてもよい。中央データ収集サイト２０は、いわゆるコンピュータクラウドであることが好ましく、コンピュータクラウドによると、伝送された動作データに基づいて全てのさらなるデータ処理作業および／または解析を行うことができる。また、データを大量に記憶させることもできる。
【００５３】
やはり図３によって示すように、充電装置８と送受信手段９との間のデータの伝送は双方向であり得る。それによって、データおよび／またはプログラム（例えば、ファームウェアのアップデート等）を中央データ収集サイト２０からネットワーク２１と送受信手段９とを介して充電装置８に伝送し、充電装置８から電気エネルギー源６に伝送することも可能になる。例えば、これによって、ユーザによる介入なしで、ファームウェアのアップデートをエネルギー源６の充電中に作業器具または救助器具１において容易に実行することが可能になる。
【００５４】
図４は、動作データの取得に関連付けられる作業器具または救助器具１の個別の機能ユニットを示す、非常に簡単化された概略図である。電動機４は油圧ポンプ５を駆動し、そして、油圧ポンプ５は作動液を油圧シリンダ１１のピストン側（作業モード）またはピストンロッド側（開くモード）に吐出する。エネルギー源６は電動機に電気エネルギーを供給する。明瞭化のために、図４においては、電気エネルギー源２を受け入れ口３ａに挿入された状態では図示していない。データインタフェース１０（例えば、ＵＳＢインタフェース）も、エネルギー源の電気接点領域６ｅの領域に配置されている。
【００５５】
参照符号１６は、作業器具または救助器具１の動作を制御するためのプロセッサを示す。Ｓ１〜Ｓｎは、少なくとも１つのセンサ手段、好ましくは複数のセンサ手段を示し、該センサ手段によって器具の少なくとも１つの動作パラメータＰ１〜Ｐｎが取得される。それぞれのセンサ手段Ｓ１〜Ｓｎによって取得されたこれらの動作パラメータＰ１〜Ｐｎは、データロガー１６Ａによって読み出される。この場合、好ましくは、センサ手段Ｓ１〜Ｓｎそれぞれの物理学的測定値が、適切なデータフォーマットに変換され、プロセッサ１６によって、データインタフェース１０を介してエネルギー源６のデータキャリアまたはデータ記憶装置６ｄに書き込まれる。
【００５６】
好適には、上記センサ手段は、電動機４に流れる電流および／または電圧、および／またはエネルギー源６の充電状態、および／またはエネルギー源６の充電サイクル、および／または周囲温度、および／または周囲湿度を測定するための手段である。
【００５７】
図４では、エネルギー源６は、引き抜かれた状態で示されている。エネルギー源６は、接続のために、受け入れ口３ａに挿入され、その結果、電気接点領域６ｅに隣り合うデータインタフェース１０がアクティブになる。結果として、エネルギー源６が挿入されると、一方では、作業器具または救助器具に電気エネルギーが供給され、他方では、データインタフェース１０によって、プロセッサ１６がデータロガー１６ａを介して収集された動作データまたは動作パラメータをデータキャリアまたはデータ記憶装置６ｄに書き込むことが可能になる。
【００５８】
好適には、作業器具または救助器具１は、ＧＰＳモジュール１７を含み、該ＧＰＳモジュール１７は、一方では、動作データに時間座標を付与することができる時間モジュールを含み、他方では、位置座標が動作データの一部として伝送され、必要に応じて動作データと共に解析されることを可能にする。
【００５９】
上記動作パラメータは、下記の群のうちの少なくとも１つの動作パラメータまたは動作パラメータの組み合わせである。
【００６０】
・電動機に流れる電流。この動作パラメータは、器具に対する要求、器具またはその各部品（例えば、工具インサート）に対する負荷（load）および／もしくは負荷のかかり（loading）を推定するために用いることができる。
【００６１】
・電圧。この動作パラメータは、器具のパワーつまり出力パワーを推定するために用いることができる。
【００６２】
・空間における作業器具または救助器具の向き。これは、特定の動作状態を識別するために用いることができる。
【００６３】
・空間における作業器具または救助器具の加速度。これは、例えば衝撃効果および／または振動効果等の機械的影響を推定するために用いることができる。
【００６４】
・電気エネルギー源の充電状態。これによって、バッテリを交換する必要があることを十分に余裕を持ってユーザに知らせることが可能になる。
【００６５】
・電気エネルギー源の実施済み充電サイクル回数。これによって、電気エネルギー源の期待される実用寿命を予測し、例えば、エネルギー源を取り替える措置を十分に余裕を持って開始することが可能になる。
【００６６】
・周囲温度。これによって、それぞれの器具の配備とその時の主な周囲温度とを履歴に含めることが可能になり、例えば、使用の際に器具が非常に高い温度に曝された場合にシールを取り替えることが可能になる。
【００６７】
・周囲湿度。これによって、器具がかなりの湿度に曝されたり水と接触したりして例えば酸化による電子部品の損傷が生じた場合に、措置を選択的に実行することが可能になる。
【００６８】
・ＧＰＳ位置座標。これによって、器具のそれぞれの位置を履歴の判定に含めることが可能になる。
【００６９】
・時刻。これによって、他の動作データを正確な時間的前後関係に配置することが可能になる。
【００７０】
さらに、各器具は、器具固有の個別の識別子ＩＤ１〜ＩＤｎを有する。この個別の識別子ＩＤは、例えば、連続した二進数によって定義され得る。
【００７１】
尚、図４における個別の機能要素の表示は概略的なものに過ぎず、具体的な配置は変わり得ることは明らかである。
【００７２】
図５は、異なる個別のＩＤを有する複数の使用中の作業器具または救助器具１を示す、非常に簡単化された概略図である。本発明によると、個々の器具１の動作パラメータＰ１〜Ｐｎまたはそれらから得られたデータレコードＤＳ１〜ＤＳｎが、各器具ＩＤ１〜ＩＤｎの充電装置８から、通信プロトコル１９を介して、対応するデータ受信手段９に伝送される。通信プロトコル１９は、Ｂｌｕｅｔｏｏｔｈ、ＷｉＦｉ、またはＷＬＡＮであることが好ましい。これらの種類の通信プロトコルは、比較的少ない電気エネルギーで済むという利点を有している。
【００７３】
データは、ネットワークプロバイダ１８を介して、中央データ収集サイト２０に記憶され、かつ／または、さらに処理される。このようにして、世界中の全ての個別の器具ＩＤ１〜ＩＤｎの全ての動作パラメータＰ１〜Ｐｎを、中央データ収集サイト２０に記憶させ、いつでも解析できるように保持しておくことができる。これにより、個々の器具ごとの使用履歴を中央データ収集サイト２０に記憶させることができる。
【００７４】
図６に示すように、それぞれのユーザにそのユーザの作業器具または救助器具１の現状を知らせるために、動作パラメータＰ１〜ＰｎまたはデータレコードＤＳ１〜ＤＳｎを、中央データ収集サイト２０からネットワーク２１を介して各ユーザのデータ処理装置１５、例えばスマートフォン、タブレット、ノートパソコン等に伝送することができる。これらのデータは、例えば携帯電話ネットワーク２２を介して伝送される。これにより、識別子ＩＤ１〜ＩＤｎを有する作業器具または救助器具の各ユーザは、当該ユーザの器具に関わる個別のデータおよび／または情報を受信する。
【００７５】
このことによって、例えば図７に示すように、配備中であっても、適切な表示装置、図７に示した場合においてはユーザのヘルメット内のヘッドアップディスプレイ２３に、対応するデータを表示させることが可能である。この場合、データは、携帯電話ネットワーク２２によって直接伝送されてもよく、データ処理装置１５または器具１から近距離無線通信ネットワーク９（例えば、Ｂｌｕｅｔｏｏｔｈ、ＷＬＡＮ、もしくはＷｉＦｉ等）によって表示装置すなわちヘッドアップディスプレイ２３に直接伝送されてもよい。このようにして、ユーザは、配備中にあらゆる必要情報を視野に入れる。あるいは、情報は、ユーザのデータ処理装置１５から表示手段すなわちヘッドアップディスプレイ２３に伝送されてもよい。
【００７６】
図８は、中央データ収集サイト２０の考えられ得る組織構造の一例を示す。中央データ収集サイト２０においては、さまざまな作業を行うことができる。計算（Computing）２０Ａという機能ブロックは、伝送された動作パラメータに関してそれらから得られるデータレコードＤＳ１〜ＤＳｎを生成するための必要な計算作業を示す。ＩＤ認識２０Ｈという機能ブロックは、受信したデータの個別のＩＤの割当てを表す。記憶装置２０Ｂにはデータが記憶される。コンテンツ管理２０Ｉという機能ブロックは、例えば追加情報等のデータを外部からシステムに取り込むことを可能にする。監視２０Ｃおよびランタイム管理２０Ｊという機能ブロックは、動作パラメータまたはランタイムシステムもしくはリアルタイムシステムの動作の監視を表す。点検管理２０Ｄという機能ブロックは、伝送された動作データを考慮して必要とされる点検作業に関係する措置を含んでいる。ユーザデータ管理２０Ｋという機能ブロックは、例えば、名前、住所、電子メールアドレス、携帯電話番号等のような個別のユーザデータの管理に関係する。
【００７７】
ネットワーク２０Ｆという機能ブロックは、ネットワークの事柄の取り扱いに関係する。ユーザ情報管理２０Ｌという機能ブロックは、中央データ収集サイト２０から個々のユーザに伝送される情報の取りまとめに関係する。通信管理２０Ｇという機能ブロックは、伝送プロトコル等の選択のような、通信手段の取り扱いに関係する。経験データベース２０Ｍという機能ブロックは、ユーザ固有の情報の受信および維持に関係し、該情報は、他のユーザによって検索可能である。
【００７８】
図９に示す本発明のさらなる好適な展開によると、動作データおよび／または動作パラメータおよび／またはそれらから得られたデータレコード、よって、例えば、エネルギー源の充電状態等を、直接、すなわちネットワーク２１を経由せずに、作業器具または救助器具に割り当てられたディスプレイ２３、例えばヘッドアップディスプレイ、および／または、器具１に直接配置されたディスプレイ２３、および／または、ユーザが携行するディスプレイ２３に表示することができる。この目的のために、データは、無線通信、好ましくは近距離無線通信手段２４によって、作業器具または救助器具１からディスプレイ２３に直接伝送され得る。
【００７９】
本発明は、非常に簡単な方法で、さまざまな配備場所で用いられる個別の器具をそれらの使用に関して精密に監視し、完全に解析することを可能にする。そして、これによって、救助器具の配備時における不測の遅滞を確実に防止することが可能になる。したがって、本発明は、救助器具の配備条件の改善に非常に大きく寄与する。
【符号の説明】
【００８０】
１  救助器具
２  工具インサート
３  ハウジング
３ａ  エネルギー源の受け入れ口
４  電動機
５  ポンプ
６  エネルギー源
６ａ  ハウジング、エネルギー源
６ｂ  ハウジング突起、エネルギー源
６ｃ  保持クリップ、エネルギー源
６ｄ  データキャリア／データ記憶装置
６ｅ  電気接点領域、エネルギー源
７  メインスイッチ
８  充電装置
８ａ  受け入れ口
８ｂ  無線通信モジュール
８ｃ  充電ケーブル
８ｄ  プロセッサ
９  送受信手段（例えば、モデム）
１０  データインタフェース
１１  シリンダ
１２  切り替え弁
１３  持ち運び用ハンドル
１４  ハンドル
１５  データ処理装置
１６  プロセッサ
１６Ａ  データロガー
１７  ＧＰＳモジュール
１８  ネットワークプロバイダ
１９  通信プロトコル
２０  中央データ収集サイト
２１  ネットワーク（インターネット）
２２  携帯電話ネットワーク
２３  ディスプレイ
ＩＤ１〜ＩＤｎ  個別の識別子
Ｓ１〜Ｓｎ  センサ手段
Ｐ１〜Ｐｎ  動作パラメータ
ＤＳ１〜ＤＳｎ  データレコード
【図１】
2019510644.tif 000003
【図２】
2019510644.tif 000004
【図３】
2019510644.tif 000005
【図４】
2019510644.tif 000006
【図５】
2019510644.tif 000007
【図６】
2019510644.tif 000008
【図７】
2019510644.tif 000009
【図８】
2019510644.tif 000010
【図９】
2019510644.tif 000011
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
オペレータが持ち運び、自律的に使用することができる電気機械式または電気油圧式の作業器具もしくは救助器具（１）の動作方法であって、前記作業器具もしくは救助器具（１）は、
少なくとも１つの可動式の工具インサート（２）、好ましくは切断工具、押し広げ工具、または持ち上げ工具と、
ハウジング（３）と、
電動機（４）と、
該工具インサートを作動させるための、該電動機（４）によって駆動されるポンプ（５）または該電動機（４）によって駆動される機械式動力伝達装置と、
交換可能な再充電式の器具用電気エネルギー源（６）であって、それ自身のハウジング（６ａ）を有し、該作業器具もしくは救助器具（１）内または該作業器具もしくは救助器具（１）上に収容された電気エネルギー源（６）と、を有し、
前記作業器具もしくは救助器具（１）の動作中に動作データが取得され、
前記動作データが前記電気エネルギー源（６）に収容されたデータキャリアまたはデータ記憶装置（６ｄ）に転送され、
前記電気エネルギー源（６）が前記作業器具もしくは救助器具（１）から取り外されて充電装置（８）に接続され、
前記電気エネルギー源（６）の前記データキャリアまたはデータ記憶装置（６ｄ）に記憶された前記動作データが前記充電装置（８）によって読み出されてネットワーク（２１）に転送され、
前記動作データは、動作パラメータ（Ｐ１〜Ｐｎ）および／またはそれから得られたデータレコード（ＤＳ１〜ＤＳｎ）であり、
前記動作パラメータ（Ｐ１〜Ｐｎ）は、前記電動機（４）に流れる電流（Ｐ１）および空間における前記作業器具もしくは救助器具（１）の向き（Ｐ３）であり、
検出された前記動作パラメータ（Ｐ１〜Ｐｎ）は、タイムスタンプが付与され、これらの間の時間関係が確立されることを特徴とする方法。
【請求項２】
前記ネットワーク（２１）を介して前記充電装置（８）にデータおよび／またはプログラムが伝送され、前記電気エネルギー源（６）の前記データキャリアまたはデータ記憶装置（６ｄ）に前記データおよび／またはプログラムがインポートされ、
前記電気エネルギー源（６）が前記充電装置（８）から取り外されて前記作業器具もしくは救助器具（１）に接続され、
前記電気エネルギー源（６）から前記作業器具もしくは救助器具（１）に前記データおよび／またはプログラムがインポートされることを特徴とする、請求項１に記載の方法。
【請求項３】
前記作業器具もしくは救助器具（１）が器具固有の電子ＩＤ（ＩＤ１〜ＩＤｎ）を有し、
前記器具固有の電子ＩＤ（ＩＤ１〜ＩＤｎ）が、前記動作データの構成部分であることを特徴とする、請求項１または２に記載の方法。
【請求項４】
動作パラメータ（Ｐ１〜Ｐｎ）が、
電圧（Ｐ２）、および／または、
前記作業器具もしくは救助器具（１）の加速度（Ｐ４）、および／または、
前記電気エネルギー源の充電状態（Ｐ５）、および／または、
前記電気エネルギー源の実施済み充電サイクル回数（Ｐ６）、および／または、
周囲温度（Ｐ７）、および／または、
周囲湿度（Ｐ８）、および／または、
ＧＰＳ位置座標（Ｐ９）、および／または、
時刻もしくはＧＰＳ時刻、であることを特徴とする、請求項１に記載の方法。
【請求項５】
前記動作パラメータ（Ｐ１〜Ｐｎ）が、時刻基準と共に取得されることを特徴とする、請求項３または４に記載の方法。
【請求項６】
前記動作データおよび／または動作パラメータ（Ｐ１〜Ｐｎ）および／またはそれから得られたデータレコード（ＤＳ１〜ＤＳｎ）が、前記ネットワーク（２１）を介してアクセス可能な中央データ収集サイト（２０）において、好ましくは継続的に、さらに処理され、かつ／または、記憶され、かつ／または、解析されることを特徴とする、先行する請求項のうちの少なくとも一項に記載の方法。
【請求項７】
前記データレコード（ＤＳ１〜ＤＳｎ）が、前記中央データ収集サイト（２０）において、前記動作パラメータ（Ｐ１〜Ｐｎ）に基づいて生成されることを特徴とする、請求項６に記載の方法。
【請求項８】
前記中央データ収集サイト（２０）から個別の作業器具もしくは救助器具（１）に情報が伝送されることを特徴とする、先行する請求項のうちの少なくとも一項に記載の方法。
【請求項９】
前記情報がユーザのデータ処理装置に表示されることを特徴とする、請求項８に記載の方法。
【請求項１０】
前記充電装置（８）と前記ネットワーク（２１）との間のデータのやり取りが、無線通信、好ましくは近距離無線通信、によって行われることを特徴とする、先行する請求項のうちの少なくとも一項に記載の方法。
【請求項１１】
前記中央データ収集サイト（２０）において、前記動作パラメータ（Ｐ１〜Ｐｎ）のコンピュータ解析（２０Ａ）が、受信した前記動作パラメータを経験的動作パラメータデータベースのデータと比較することによって行われることを特徴とする、請求項６から１０のうちの少なくとも一項に記載の方法。
【請求項１２】
個別の識別子（ＩＤ１〜ＩＤｎ）をそれぞれ有する前記作業器具もしくは救助器具（１）それぞれの器具固有の動作履歴（２０Ｋ）が、前記データ収集サイトにおいて、前記動作パラメータ（Ｐ１〜Ｐｎ）に基づいて生成および／または記憶されることを特徴とする、請求項６から１１のうちの少なくとも一項に記載の方法。
【請求項１３】
前記作業器具もしくは救助器具に固有の情報をユーザが入力および／または呼び出しできる経験データベース（２０Ｍ）が生成され、前記経験データベース（２０Ｍ）は、前記作業器具もしくは救助器具（１）のユーザが情報データを前記経験データベースに入力することで生成され、前記経験データベースをユーザが呼び出すことができることを特徴とする、請求項６から１２のうちの少なくとも一項に記載の方法。
【請求項１４】
前記動作データおよび／または動作パラメータ（Ｐ１〜Ｐｎ）および／またはそれから得られたデータレコード（ＤＳ１〜ＤＳｎ）が、前記作業器具もしくは救助器具（１）に割り当てられたディスプレイ（２３）に直接表示されることを特徴とする、先行する請求項のうちの少なくとも一項に記載の方法。
【請求項１５】
オペレータが持ち運び、自律的に使用することができる、電気機械式または電気油圧式の作業器具もしくは救助器具（１）であって、
少なくとも１つの可動式の工具インサート（２）、好ましくは、切断工具、押し広げ工具、または持ち上げ工具と、
ハウジング（３）と、
電動機（４）と、
前記工具インサート（２）を作動させるための、前記電動機（４）によって駆動されるポンプ（５）または前記電動機（４）によって駆動される機械式動力伝達装置と、
交換可能な再充電式の器具用電気エネルギー源（６）であって、それ自身のハウジング（６ａ）を有し、前記作業器具もしくは救助器具（１）内または前記作業器具もしくは救助器具（１）上に収容された電気エネルギー源（６）と、
使用中の前記作業器具もしくは救助器具（１）の使用データを取得するための少なくとも１つのセンサ手段（Ｓ１〜Ｓｎ）と、
データロガー（１６Ａ）を有し、前記センサ手段（Ｓ１〜Ｓｎ）に接続され、前記センサ手段（Ｓ１〜Ｓｎ）の測定値またはそれから得られたデータを取得し、さらなる処理に提供するプロセッサと、を有し、
前記エネルギー源（６）が、前記センサ手段（Ｓ１〜Ｓｎ）の前記使用データを記憶させことができるデータキャリアまたはデータ記憶装置（６ｄ）を有し、
前記センサ手段（Ｓ１〜Ｓｎ）は、前記電動機（４）に流れる電流（Ｐ１）を検出する電流センサ（Ｓ１）および空間における前記作業器具もしくは救助器具（１）の向き（Ｐ３）を検出する傾斜センサ（Ｓ３）であり、前記電動機（４）に流れる前記電流（Ｐ１）および空間における前記作業器具もしくは救助器具（１）の前記向き（Ｐ３）は時系列で検出され、これらの間に時間関係が確立されることを特徴とする、作業器具もしくは救助器具。
【請求項１６】
好ましくは双方向の、データインタフェース（１０）を、前記作業器具もしくは救助器具（１）と前記エネルギー源（６）との間に備えることを特徴とする、請求項１５に記載の作業器具もしくは救助器具。
【請求項１７】
個別の作業器具もしくは救助器具（１）が、個別に対応付られた電子ＩＤ（ＩＤ１〜ＩＤｎ）を有することを特徴とする、請求項１４および１５のうちの少なくとも一項に記載の作業器具もしくは救助器具。
【請求項１８】
電圧センサ（Ｓ２）、および／または、
温度センサ（Ｓ４）、および／または、
バッテリ充電状態センサ（Ｓ５）、および／または、
バッテリ充電サイクルカウンタ（Ｓ６）、および／または、
湿度センサ（Ｓ７）、および／または、
ＧＰＳモジュール、および／または、
計時要素、
をセンサ手段（Ｓ１〜Ｓｎ）として備えることを特徴とする、請求項１５および１７のうちの少なくとも一項に記載の作業器具もしくは救助器具。
【請求項１９】
前記作業器具もしくは救助器具（１）に割り当てられたディスプレイ（２３）を備えることを特徴とする、請求項１５から１８のうちの少なくとも一項に記載の作業器具もしくは救助器具。
【国際調査報告】
2019510644.tif 000012
2019510644.tif 000013
2019510644.tif 000014
2019510644.tif 000015
2019510644.tif 000016
2019510644.tif 000017